(57)【要約】【課題】  ユーザの保有する可搬型記録媒体を管理する際におけるユーザの利便性を向上させる。【解決手段】  ラック番号とディスク識別情報が対応付けて格納されたディスク管理テーブルＴＢＬをレコーダＲにおいて管理、更新すると共に、このディスク管理テーブルＴＢＬをレコーダＲからリモコン装置ＲＣに送信し、両装置Ｒ及びＲＣ間において共有化する。そして、リモコン装置ＲＣにおいて、このディスク管理テーブルＴＢＬに基づき光ディスクＤＫの一覧を表示すると共に、当該一覧に従ってユーザが選択した光ディスクＤＫに対応するラック番号をディスク管理テーブルＴＢＬから抽出して、当該ラック番号を用いて収納装置ＳＭを制御する。【選択図】  図１
2007012196.tif 000002
【特許請求の範囲】
【請求項１】
可搬型記録媒体を収納するための収納スペースが複数設けられた収納装置を遠隔制御するためのリモコン装置であって、
（Ａ）前記各収納スペースを一意に特定するためのスペース識別情報と（Ｂ）一つの前記可搬型記録媒体、或いは、複数の可搬型記録媒体の組み合わせを一意に特定するための媒体識別情報、が対応付けて記述された可搬型記録媒体管理情報を取得する取得手段と、
前記可搬型記録媒体管理情報に基づき前記可搬型記録媒体の一覧を表示する表示手段と、
前記一覧に従ってユーザが選択した可搬型記録媒体の媒体識別情報と対応付けて記述された前記スペース識別情報を前記可搬型記録媒体管理情報から抽出する抽出手段と、
前記スペース識別情報を少なくとも含む制御信号を前記収納装置に送信し、当該可搬型記録媒体に対応する収納スペースを収納装置にて報知させる制御手段と、
を具備することを特徴とするリモコン装置。
【請求項２】
前記取得手段は、（ａ）前記可搬型記録媒体に対する各種データの記録及び再生を行う情報記録再生装置、或いは、（ｂ）前記収納装置、の何れか一方から前記可搬型記録媒体管理情報を取得することを特徴する請求項１に記載のリモコン装置。
【請求項３】
前記取得した可搬型記録媒体管理情報を更新する更新手段と、
前記更新した可搬型記録媒体管理情報を前記情報記録装置に送信する送信手段と、を更に有することを特徴とする請求項２に記載のリモコン装置。
【請求項４】
前記可搬型記録媒体管理情報は、前記可搬型記録媒体に記録されたコンテンツの属性を示すコンテンツ属性情報を更に含み、
前記表示手段は、前記一覧の表示に際して前記コンテンツ属性情報に基づき前記可搬型記録媒体に記録されたコンテンツの一覧を表示することを特徴とする請求項１に記載のリモコン装置。
【請求項５】
前記可搬型記録媒体管理情報は、前記各可搬型記録媒体が前記収納装置に収納済みの状態にあるか否かを示す収納状態情報を更に含み、
前記表示手段は、前記一覧の表示に際して前記収納状態情報に基づき前記可搬型記録媒体が前記収納装置に収納された状態にあるか否かを表示することを特徴とする請求項１に記載のリモコン装置。
【請求項６】
前記可搬型記録媒体管理情報は、前記可搬型記録媒体に対する各種データの記録及び再生を行う情報記録再生装置に前記可搬型記録媒体が挿入された状態にあるか否かを示す挿入状態情報を更に含み、
前記表示手段は、前記一覧の表示に際して、前記挿入状態情報に基づき前記可搬型記録媒体が前記情報記録媒体に挿入された状態にあるか否かを表示することを特徴とする請求項１に記載のリモコン装置。
【請求項７】
可搬型記録媒体或いはそのケースを収納するための収納スペースが複数設けられた筐体と、
（Ａ）前記各収納スペースを一意に特定するためのスペース識別情報と（Ｂ）一つの前記可搬型記録媒体、或いは、複数の可搬型記録媒体の組み合わせを一意に特定するための媒体識別情報、が対応付けて記述された可搬型記録媒体管理情報を取得する取得手段と、
前記可搬型記録媒体管理情報を記録する記録手段と、
自装置を遠隔制御するためのリモコン装置に対して前記記録手段に記録された前記可搬型記録媒体管理情報を送信する送信制御手段と、
を具備することを特徴とする可搬型記録媒体の収納装置。
【請求項８】
前記可搬型記録媒体或いは前記ケースに設けられたＩＣチップから前記媒体識別情報を読み出すリーダと、
前記読み出した媒体識別情報が前記可搬型記録媒体管理情報に記述されているか否かを判定する判定手段と、
前記媒体識別情報が記述されていないと判定された場合に、前記可搬型記録媒体管理情報に基づき前記収納スペース中における空きスペースのスペース識別情報を特定し、当該スペース識別情報と前記読み出した可搬型記録媒体識別情報を対応付けて前記可搬型記録媒体管理情報に記述する更新手段と、
を更に備えることを特徴とする請求項７に記載の収納装置。
【請求項９】
可搬型記録媒体を収納するための収納スペースが複数設けられた収納手段と、外部から供給される制御信号に基づいてユーザの所望する可搬型記録媒体に対応した前記収納スペースを報知する報知手段と、を備えた収納装置と、
（Ａ）前記各収納スペースを一意に特定するためのスペース識別情報と（Ｂ）一つの前記可搬型記録媒体、或いは、複数の可搬型記録媒体の組み合わせを一意に特定するための媒体識別情報、が対応付けて記述された可搬型記録媒体管理情報を取得する取得手段と、前記可搬型記録媒体管理情報に基づき前記可搬型記録媒体の一覧を表示する表示手段と、前記一覧に従ってユーザが選択した可搬型記録媒体の媒体識別情報と対応付けて記述された前記スペース識別情報を前記可搬型記録媒体管理情報から抽出する抽出手段と、前記スペース識別情報を付加して前記収納装置に制御信号を送信し、当該可搬型記録媒体に対応する収納スペースを収納装置にて報知させる制御手段と、を備えたリモコン装置と、
を具備することを特徴とする可搬型記録媒体管理システム。
【発明の詳細な説明】
【技術分野】
【０００１】
本発明は、ユーザの保有する光ディスク等の可搬型記録媒体を管理するための技術に関する。
【背景技術】
【０００２】
従来から光ディスク（例えば、ＣＤ（Compact Disc）やＤＶＤ）等の可搬型記録媒体を複数枚収納することができる各種のケースが提供されており、ユーザは所定事項を記載したラベルを光ディスクに貼り、或いは、光ディスクに印刷する等の方法により、所望のデータが記録された可搬型記録媒体を管理、判別している状況にある。しかしながら、かかる方法はユーザにとって決して利便性の高いものであると言うことはできなかった。かかる観点から最近では光ディスクを収納するための収納装置とＰＣ（Personal Computer）をＵＳＢ（Universal Serial Bus）接続し、当該収納装置内に格納された光ディスクをＰＣにより管理する機能が設けられたディスク管理システムも提供されるようになっている（例えば、非特許文献１）。
【非特許文献１】“DiscStakka”、［online］、イメーション株式会社、［平成17年5月13日検索］、インターネット〈URL:http://www.imation.co.jp/products/pc_hard/disc_stakka/index.html〉
【発明の開示】
【発明が解決しようとする課題】
【０００３】
ところで、上記従来のディスク管理システムにおいては、新規の光ディスクを収納装置に収納する際に、当該光ディスクの種別（すなわち、ＤＶＤ-ＲＯＭなのかＤＶＤ-Ｒなのか等）や当該光ディスクのタイトルといった情報をユーザがＰＣに手入力する必要があり、ユーザの利便性を向上させることが困難となっていた。また、このディスク管理システムにおいては、ＰＣを用いて収納装置を管理する構成が採用されているため、収納装置の制御に際して、必ず、ＰＣの電源をＯＮにする必要性が生じ、ユーザの利便性の確保が更に困難となっている。
【０００４】
本願は、以上説明した事情に鑑みてなされたものであり、その課題の一例としてはユーザの保有する光ディスク等の可搬型記録媒体を管理する際におけるユーザの利便性を向上させることが可能なリモコン装置、収納装置及び可搬型記録媒体管理システムを提供することを目的とする。
【課題を解決するための手段】
【０００５】
上述した課題を解決するため本願の一つの観点において請求項１に記載のリモコン装置は、可搬型記録媒体を収納するための収納スペースが複数設けられた収納装置を遠隔制御するためのリモコン装置であって、（Ａ）前記各収納スペースを一意に特定するためのスペース識別情報と（Ｂ）一つの前記可搬型記録媒体、或いは、複数の可搬型記録媒体の組み合わせを一意に特定するための媒体識別情報、が対応付けて記述された可搬型記録媒体管理情報を取得する取得手段と、前記可搬型記録媒体管理情報に基づき前記可搬型記録媒体の一覧を表示する表示手段と、前記一覧に従ってユーザが選択した可搬型記録媒体の媒体識別情報と対応付けて記述された前記スペース識別情報を前記可搬型記録媒体管理情報から抽出する抽出手段と、前記スペース識別情報を少なくとも含む制御信号を前記収納装置に送信し、当該可搬型記録媒体に対応する収納スペースを収納装置にて報知させる制御手段と、を具備することを特徴とする。
【０００６】
また、本願の他の観点において請求項７に記載の可搬型記録媒体の収納装置は、可搬型記録媒体或いはそのケースを収納するための収納スペースが複数設けられた筐体と、（Ａ）前記各収納スペースを一意に特定するためのスペース識別情報と（Ｂ）一つの前記可搬型記録媒体、或いは、複数の可搬型記録媒体の組み合わせを一意に特定するための媒体識別情報、が対応付けて記述された可搬型記録媒体管理情報を取得する取得手段と、前記可搬型記録媒体管理情報を記録する記録手段と、自装置を遠隔制御するためのリモコン装置に対して前記記録手段に記録された前記可搬型記録媒体管理情報を送信する送信制御手段と、を具備することを特徴とする。
【０００７】
更に、本願の他の観点において請求項９に記載の可搬型記録媒体管理システムは、可搬型記録媒体を収納するための収納スペースが複数設けられた収納手段と、外部から供給される制御信号に基づいてユーザの所望する可搬型記録媒体に対応した前記収納スペースを報知する報知手段と、を備えた収納装置と、（Ａ）前記各収納スペースを一意に特定するためのスペース識別情報と（Ｂ）一つの前記可搬型記録媒体、或いは、複数の可搬型記録媒体の組み合わせを一意に特定するための媒体識別情報、が対応付けて記述された可搬型記録媒体管理情報を取得する取得手段と、前記可搬型記録媒体管理情報に基づき前記可搬型記録媒体の一覧を表示する表示手段と、前記一覧に従ってユーザが選択した可搬型記録媒体の媒体識別情報と対応付けて記述された前記スペース識別情報を前記可搬型記録媒体管理情報から抽出する抽出手段と、前記スペース識別情報を付加して前記収納装置に制御信号を送信し、当該可搬型記録媒体に対応する収納スペースを収納装置にて報知させる制御手段と、を備えたリモコン装置と、を具備することを特徴とする。
【発明を実施するための最良の形態】
【０００８】
［１］実施形態
［１．１］実施形態の構成
以下、本実施形態にかかるディスク管理システムＳ（以下、「システムＳ」と略称）の構成を示す図１を参照しつつ本願の実施の形態について説明する。まず、同図に示すように本実施形態にかかるシステムＳは、ＣＤやＤＶＤ、ＢＤ（ブルーレイディスク）等の光ディスクＤＫを収納するためのスペースＳ-ｋ（図２参照。ｋ=1,2,・・・,n）が複数設けられた収納装置ＳＭと、リモコン装置ＲＣと、光ディスクレコーダＲ（以下、「レコーダＲ」と略称）と、レコーダＲに接続されたモニタＭＮと、を有している。このシステムＳにおいては光ディスクＤＫに記録された各種コンテンツに対応したデータ（以下、「コンテンツデータ」という）がレコーダＲにより再生されると共に、地上アナログ放送等の各種放送フォーマットに従って放送される放送波がレコーダＲにより受信され、放送番組に対応したコンテンツデータが光ディスクＤＫに記録される。
【０００９】
ここで、本実施形態に特徴的な事項として、このシステムＳを構成するリモコン装置ＲＣにはレコーダＲと収納装置ＳＭの双方を遠隔制御するための機能が設けられており、収納装置ＳＭから光ディスクＤＫを取り出す際に、このリモコン装置ＲＣにより収納装置ＳＭを遠隔制御し、取出対象となる光ディスクＤＫの収納スペースＳ-ｋを収納装置ＳＭにおいて報知させる機能が実現されている。より具体的には、収納装置ＳＭから光ディスクＤＫを取り出そうとする際に、収納装置ＳＭに収納済みの光ディスクＤＫの一覧リストをリモコン装置ＲＣにおいて表示させると共に、当該リストに従いユーザが選択した光ディスクＤＫの収納スペースＳ-ｋを収納装置ＳＭにおいて報知させる機能が実現されているのである。
【００１０】
一方、かかる機能を実現する場合、収納装置ＳＭ内のどのスペースＳ-ｋに如何なる光ディスクＤＫが収納されているのかを示す情報をリモコン装置ＲＣに保有させ、この情報に基づいて収納装置ＳＭを遠隔制御することが必要となる。かかる方法としては、各スペースＳ-ｋに如何なる光ディスクＤＫが収納されているのかをユーザがリモコン装置ＲＣに手入力する方法も考えられる。しかし、かかる方法はユーザに不要な作業を強いることとなり、ユーザの利便性確保の観点からは望ましい方法と言うことができない。
【００１１】
そこで、本実施形態においては、概略、次の方法を採用することとした。まず、各スペースＳ-ｋ内に如何なる光ディスクＤＫが収納されているのかを管理するためのテーブル（以下、「ディスク管理テーブルＴＢＬ」。図３参照。）をレコーダＲに保有させると共に、このディスク管理テーブルＴＢＬをレコーダＲにおいて管理・更新する。具体的には、光ディスクＤＫがレコーダＲに挿入された際に、レコーダＲが当該光ディスクＤＫを一意に識別するためのディスク識別情報を光ディスクＤＫから読み出すと共に、当該光ディスクＤＫに対して収納装置ＳＭ内のスペースＳ-ｋを割り当て、当該スペースＳ-ｋを一意に特定するためのラック番号と光ディスクＤＫから読み出したディスク識別情報を対応付けてディスク管理テーブルＴＢＬに格納する。このようにして、レコーダＲにおいて管理・更新されるディスク管理テーブルＴＢＬをレコーダＲとリモコン装置ＲＣとの間において共有し、このディスク管理テーブルＴＢＬに基づいてリモコン装置ＲＣがレコーダＲを制御する方法を採用することとしたのである。なお、ディスク識別情報として如何なる情報を用いるかについては任意であり、例えば、光ディスクＤＫのリードインエリアに記録されたエンドセクタ番号やＢＣＡ（Burst Cutting Area）データを用いるようにしても良い。また、例えば、映画等のコンテンツが記録された光ディスクＤＫの場合、複数枚の光ディスクＤＫで一つのコンテンツを記録しているような場合も多い。このような場合、ディスク識別情報は、当該組みになる複数枚の光ディスクＤＫについて共通の情報を用いるようにすれば良い。
【００１２】
以下、かかる機能を実現するための各要素について具体的に説明する。
【００１３】
（１）収納装置ＳＭについて
まず、収納装置ＳＭは、光ディスクＤＫを収納するための装置であり、通信部１１と、ディスク有無検出部１２と、報知部１３と、制御部１４と、各要素間を電気的に接続するバス１５とを有し、これらの要素が所定構造を有する筐体内部に配設された構成となっている。図２に、この筐体の外観形状の一例を示す。
【００１４】
同図に示す例の場合、筐体１００には、開口部１０１が設けられており、この開口部１０１の上面部及び下面部には複数のガイド溝１０２-ｋが設けられている。各ガイド溝１０２-ｋの幅は、例えば、I型、II型、或いは、III型のジュエルケースや２枚組光ディスク用ケース等のディスクケースの厚み外寸よりも所定値（例えば、0.5mm）大きく設定されていると共に、開口部１０１のガイド溝１０２-ｋ部分における奥行き方向及び高さ方向の内寸は、夫々、上記ディスクケースの縦方向及び横方向の外寸より所定値大きく設定されている。この結果、開口部１０１に設けられた一組の各ガイド溝１０２-ｋにより形成されるスペースＳ-ｋ内に一つのディスクケースが収納可能とされている。
【００１５】
また、各ガイド溝１０２-ｋには光ディスクＤＫ（より具体的には、ディスクケース内に収容された光ディスクＤＫ）が収納されているか否かを検出するためのセンサが設けられると共に、各センサはディスク有無検出部１２に電気的に接続されている。一方、このディスク有無検出部１２は、センサから供給される信号に基づき各スペースＳ-ｋ内に光ディスクＤＫが収納されているか否かを検出するための要素となっており、収納状態に変化が生じると当該変化の内容（すなわち、光ディスクＤＫの取り出し、及び、収納）を示す検出信号を制御部１４に出力する。
【００１６】
一方、筐体１００の開口面における開口部１０１の下側の面１０３（すなわち、筐体１００の底板におけるの木口面部分）には、各ガイド溝１０２-ｋと対応付けて（i）当該溝１０２-ｋにより形成されるスペースＳ-ｋに割り当てられたラック番号が表記されると共に、（ii）各ラック番号と一対一に対応付けてＬＥＤ（発光ダイオード）１０４-ｋが配設されている。これらのＬＥＤ１０４-ｋは、報知部１３と電気的に接続されており、報知部１３から供給される駆動信号に応じて点灯及び消灯の切換えが行われることとなる。
【００１７】
なお、面１０３に対してＬＥＤ１０４-ｋを配設する手法については任意である。例えば、筐体１００を天板、底板、裏板及び２枚の側板により構成する場合、底板を２枚の面材及び芯材により中空構造（所謂、フラッシュ構造）として構成すると共に、底板の木口面にＬＥＤ１０４-ｋを埋め込み、その上から木口面を覆う形態でラック番号の表記された透明板をはめ込むようにしても良い。
【００１８】
一方、この筐体１００の内部に設けられた通信部１１は、例えば、ＩｒＤＡやＢｌｕｅＴｏｏｔｈ（登録商標）、ＲＳ-２３２Ｃ等の無線或いは有線の通信Ｉ／Ｆにより構成され、レコーダＲとの間のデータの授受を仲介すると共にリモコン装置ＲＣから送信される制御信号を受信するために用いられる。
【００１９】
次いで、制御部１４は、主としてＣＰＵ（Central Processing Unit）により構成され、収納装置ＳＭの各部を電気的に制御する。例えば、制御部１４は、ディスク有無検出部１２から供給される検出信号に基づき、光ディスクＤＫが取り出された旨の信号（以下、「ディスク取出信号」という）、或いは、光ディスクＤＫが収納された旨の信号（以下、「ディスク収納信号」という。）をレコーダＲに送信する。
【００２０】
また、制御部１４はリモコン装置ＲＣから送信される制御信号に基づいて報知部１３を制御し、ＬＥＤ１０４-ｋの点灯及び消灯を制御する。この際、制御部１４は、当該制御信号に含まれるラック番号に基づいて点灯させるべきＬＥＤ１０４-ｋを特定する。例えば、（i）収納装置ＳＭから取り出そうとする光ディスクＤＫをリモコン装置ＲＣにおいてユーザが指定した場合、リモコン装置ＲＣから当該光ディスクＤＫの収納されているスペースＳ-ｋに対応したラック番号を少なくとも含む制御信号が送信され、制御部１４は当該ラック番号に基づいて点灯させるべきＬＥＤ１０４-ｋを特定する。また、（ii）レコーダＲから光ディスクＤＫをイジェクトした場合、レコーダＲから当該光ディスクＤＫを収納すべきスペースＳ-ｋのラック番号を少なくとも含む制御信号が供給されるようになっており、制御部１４は、当該制御信号に基づいて点灯させるＬＥＤ１０４-ｋを特定する。この結果、（i）ユーザがリモコン装置ＲＣを用いて指定した光ディスクＤＫの収納スペースＳ-ｋが収納装置ＳＭにおいて報知されると共に、（ii）レコーダＲからイジェクトされた光ディスクＤＫを収納すべきスペースＳ-ｋが収納装置ＳＭにおいて報知されることとなる。
【００２１】
なお、この収納装置ＳＭに対する電源の供給方法については任意であり、例えば、収納装置ＳＭに電池を載置するためのボックスを設け、このボックス内に載置された電池から必要な電力を供給するようにしても良い。
【００２２】
（２）レコーダＲについて
次に、レコーダＲは、例えば、ＣＤ、ＤＶＤ及びＢＤ（ブルーレイディスク）等の各記録フォーマットに従って、光ディスクＤＫに対するデータの記録及び再生を行うための装置である。
【００２３】
このレコーダＲを構成する放送受信部２１は、地上アナログ放送等のアナログ放送用のチューナや地上デジタル放送等のデジタル放送用のチューナを搭載しており、システム制御部２６による制御の下、アンテナＡＴを介して放送波を受信して当該放送波に対応した受信信号をレコーダ部２２に供給する。レコーダ部２２は、ＣＤ、ＤＶＤ及びＢＤの各記録フォーマットに対応した光ディスクＤＫに対するデータの記録及び再生を行う。例えば、レコーダ部２２は、放送受信部２１から供給される受信信号に信号処理を施して得られる当該コンテンツデータを光ディスクＤＫに記録させる一方、再生対象の光ディスクＤＫに記録されたコンテンツデータを読み出し、信号処理を施して映像信号出力端子Ｔ１および音声信号出力端子Ｔ２を介してモニタＭＮに出力する。ＥＰＧ（Electric Program Guide）データ処理部２３は、システム制御部２６による制御の下、放送受信部２１から供給される信号に含まれるＥＰＧデータを抽出し、この抽出したＥＰＧデータを図示せぬメモリに記録すると共に、当該ＥＰＧデータに基づいて番組表の表示処理を実行し、モニタＭＮに番組表を表示させる。外部機器インターフェイス（以下、「インターフェイス」を「Ｉ／Ｆ」と略称）部２４は、収納装置ＳＭの通信部１１及びリモコン装置ＲＣの通信部３１と同一規格の通信Ｉ／Ｆにより構成される。
【００２４】
システム制御部２６は、主としてＣＰＵやＲＯＭ（Read Only Memory）、ＲＡＭ（Random Access Memory）により構成され、ＲＯＭに記録されている制御情報や制御プログラムを利用することでレコーダＲの全体的な機能を統括的に制御する。例えば、このシステム制御部２６は、レコーダ部２２を制御して光ディスクＤＫに対するデータの記録及び再生を行わせると共に、ＥＰＧデータ処理部２３を制御して放送波に含まれているＥＰＧデータの抽出及び記録を行わせる。
【００２５】
また、本実施形態に特徴的な事項として、このシステム制御部２６は、収納装置ＳＭ内に収納されている光ディスクＤＫを管理すべく、ディスク管理テーブル記録部２７に記録された上記ディスク管理テーブルＴＢＬの更新を行うと共に、当該更新後のディスク管理テーブルＴＢＬをリモコン装置ＲＣに送信する。この結果、ディスク管理テーブルＴＢＬがリモコン装置ＲＣとレコーダＲとの間において共有され、リモコン装置ＲＣを用いた上記制御形態が実現される。
【００２６】
更に、本実施形態においてシステム制御部２６は、レコーダＲから光ディスクＤＫがイジェクトされると、当該光ディスクＤＫに対応したラック番号をディスク管理テーブルＴＢＬに基づいて特定すると共に、当該特定されたラック番号を少なくとも含む制御信号を収納装置ＳＭに送信し、対応するＬＥＤ１０４-ｋを点灯させて当該光ディスクＤＫを収納すべきスペースＳ-ｋをユーザに報知させる。
【００２７】
かかる機能を実現するためのディスク管理テーブルＴＢＬの記録内容の一例を図３に示す。同図に示すように、このディスク管理テーブルＴＢＬには収納装置ＳＭの各スペースＳ-ｋに割り当てられたラック番号が格納されるようになっている。また、各ラック番号には、（i）当該ラック番号に対応したスペースＳ-ｋ内に収納された光ディスクＤＫのディスク識別情報（複数枚一組の場合には当該組み合わせを一意に特定するためのディスク識別情報）や、（ii）当該ディスクＤＫの種別（例えば、ＤＶＤ-Ｒ等）を示す種別情報、及び（iii）当該ディスクＤＫに記録済みのコンテンツデータの属性を示すコンテンツ属性情報（図３の場合、番組タイトル、ジャンル及び時間数）を格納するためのフィールドが対応付けられている。また、このディスク管理テーブルＴＢＬには、各ラック番号と対応付けて、（iv）当該光ディスクＤＫが収納装置ＳＭ内に収納された状態にあるか否かを召す収納状態フラグＦ１（具体的には、Ｆ１＝”１”で収納状態、Ｆ１＝”０”で非収納状態）と、（v）当該光ディスクＤＫがレコーダＲに挿入された状態にあるか否かを示す挿入状態フラグＦ２（具体的には、Ｆ２＝”１”で挿入状態、Ｆ２＝”０”で非挿入状態）と、を格納するためのフィールドが設けられている。これらのフラグＦ１及びＦ２は、システム制御部２６がリスト表示を行う際に、各ディスクＤＫの収納状態や挿入状態をリストに表示するために用いられることとなる。
【００２８】
（３）リモコン装置ＲＣについて
次に、リモコン装置ＲＣは、収納装置ＳＭの通信部１１及びレコーダＲの外部機器Ｉ／Ｆ部２２と同一規格の通信Ｉ／Ｆにより構成された通信部３１や各種の操作ボタンが配設された操作部３２、表示部３３、制御部３４、記録部３５を有し、レコーダＲ及び収納装置ＳＭのリモートコントローラとして機能する。
【００２９】
このリモコン装置ＲＣを構成する制御部３４は、記録部３５に格納された各種情報に基づいてユーザの指定した入力コマンドに対応する制御信号を生成すると共に、当該制御信号を通信部３１を介してレコーダＲ或いは収納装置ＳＭに供給する。かかる機能を実現するため、記録部３５には、大別して、（i）レコーダＲを遠隔制御するための制御コード及び遠隔制御プログラムと、（ii）収納装置ＳＭを遠隔制御するための制御コード及び遠隔制御プログラムと、が記録され、これらのデータに基づいてレコーダＲ及び収納装置ＳＭの遠隔制御が実現される。また、本実施形態において、記録部３５には、ディスク管理テーブルＴＢＬ（図３参照）を記録するための領域も設けられており、レコーダＲにおいて更新されたディスク管理テーブルＴＢＬが送信されてくると、制御部３４は当該更新後のディスク管理テーブルＴＢＬに基づき記録部３５に記録されたディスク管理テーブルＴＢＬを更新する。
【００３０】
このようにして、レコーダＲとの間において共有化されたディスク管理テーブルＴＢＬを利用して、制御部３４は、収納装置ＳＭ内に収納された各光ディスクＤＫのリストを表示部３３に表示させ、このリストに従ってユーザが選択した光ディスクＤＫに対応するラック番号をディスク管理テーブルＴＢＬから抽出する。そして、制御部３４は、当該抽出されたラック番号を含む制御信号を収納装置ＳＭに送信し、当該ラック番号に対応するＬＥＤ１０４-ｋを点灯させることとなる。
【００３１】
［１．２］第１実施形態の動作
次に、上記構成を有する本実施形態にかかるシステムＳの動作について説明する。なお、以下においては、（Ａ）レコーダＲにおいてディスク管理テーブルＴＢＬに対する各種情報の登録及び更新を行うための処理、（Ｂ）収納装置ＳＭに収納された光ディスクＤＫを選択して取り出す際の動作、（Ｃ）レコーダＲから光ディスクＤＫをイジェクトして収納装置ＳＭに収納する際の動作、の順に説明を行うこととする。
【００３２】
（Ａ）ディスク管理テーブルＴＢＬを更新する際の動作
まず、ディスク管理テーブルＴＢＬを更新する際の動作について説明することとする。このディスク管理テーブルＴＢＬの更新タイミングとしては、（Ａ-１）ディスク管理テーブルＴＢＬに未登録の光ディスクＤＫ（すなわち、新規な光ディスクＤＫ）が挿入される可能性があるレコーダＲに対する光ディスクＤＫの挿入時、及び、（Ａ-２）光ディスクＤＫに新規なコンテンツデータが記録される放送番組の録画時が挙げられる。また、（Ａ-３）未登録の光ディスクＤＫが収納装置ＳＭに収納された場合についても当該光ディスクＤＫに関する情報を如何に取り扱うかが問題となる。更に、（Ａ-４）レコーダＲにおける光ディスクＤＫの選択を経ずに突然ユーザが光ディスクＤＫを取り出した場合に関しても当該取り出した状態を光ディスクＤＫのリスト表示に反映させるためには、ディスク管理テーブルＴＢＬの更新が必要となる。かかる観点から本実施形態においては上記各事象の発生時にディスク管理テーブルＴＢＬの更新処理を実行することとした。以下、各事象発生時における動作について順を追って説明する。
【００３３】
（Ａ-１）レコーダＲに対する光ディスクＤＫの挿入時
まず、本実施形態にかかるシステムＳにおいてレコーダＲに光ディスクＤＫが挿入された際の動作について、図４を参照しつつ説明する。なお、図４は光ディスクＤＫが挿入された場合に実行される処理を示すシーケンスチャートである。まず、レコーダＲの電源がＯＮの状態において、ユーザがレコーダＲに光ディスクＤＫを挿入するとレコーダ部２２からシステム制御部２６に光ディスクＤＫの挿入が検出された旨の検出信号が供給される。
【００３４】
このようにして検出信号が供給されると、システム制御部２６は、まず、レコーダ部２２に対して制御信号を供給してディスク識別情報の読み出しを行わせ（ステップＳａ１）、ディスク管理テーブルＴＢＬ内に当該ディスク識別情報と同一の識別情報が格納されているか否かを判定する状態となる（ステップＳａ２）。そして、システム制御部２６は、この判定において「ｙｅｓ」と判定すると、当該ディスク識別情報と対応づけてディスク管理テーブルＴＢＬに格納された挿入状態フラグＦ２を”１”に変更した後（ステップＳａ１７）、当該更新後のディスク管理テーブルＴＢＬをリモコン装置ＲＣに送信して（ステップＳａ１６）、処理を終了する。
【００３５】
一方、レコーダＲから送信されたディスク管理テーブルＴＢＬが通信部３１により受信されると、リモコン装置ＲＣの制御部３４は、当該受信したディスク管理テーブルＴＢＬを記録部３５に記録して（ステップＳａ１８）、処理を終了する。この際、制御部３４は、記録部３５に既にディスク管理テーブルＴＢＬが記録されている場合には、受信されたディスク管理テーブルＴＢＬを記録部３５に上書き保存する。
【００３６】
これに対し、ステップＳａ２において「ｎｏ」と判定すると、システム制御部２６は、表示処理を実行し（ステップＳａ３）、例えば、「new discが挿入されました。登録しますか。」等の文字列と「ｙｅｓ」、「ｎｏ」なる２つのアイコンをモニタＭＮに表示させる。この状態において、ユーザが何れかのアイコンを選択する旨の入力操作を行うと、システム制御部２６は当該選択されたアイコンが「ｙｅｓ」であるか否かを判定し（ステップＳａ４）、「ｎｏ」と判定すると、ディスク管理テーブルＴＢＬの更新及びリモコン装置ＲＣに対するテーブルＴＢＬの送信処理を実行することなく処理を終了する。
【００３７】
一方、ステップＳａ４にて「ｙｅｓ」と判定すると、システム制御部２６は、収納装置ＳＭ内に空きスペースＳ-ｋが存在するか否かを判定する状態となり（ステップＳａ５）、このステップＳａ５において、「ｎｏ」と判定した場合、ディスク管理テーブルＴＢＬの更新及びリモコン装置ＲＣに対するテーブルＴＢＬの送信処理を実行することなく処理を終了する。
【００３８】
これに対して、このステップＳａ５において「ｙｅｓ」と判定すると、システム制御部２６は、レコーダ部２２に挿入された光ディスクＤＫの種別を特定した後（ステップＳａ６）、空きスペースＳ-ｋのラック番号に対応付けられたフィールド内にディスク識別情報と種別情報を格納して（ステップＳａ７）、当該光ディスクＤＫがＲＯＭ型の光ディスクＤＫ（例えば、ＤＶＤ-ＲＯＭ）であるか否かを判定する状態に移行する（ステップＳａ８）。この判定において「ｙｅｓ」と判定した場合、システム制御部２６は、コンテンツのタイトルとジャンルをレコーダ部２２に読み出させ、当該読み出されたタイトル等をディスク管理テーブルＴＢＬに格納した後（ステップＳａ１５）、処理をステップＳａ１４に移行させる。
【００３９】
一方、ステップＳａ８において「ｎｏ」と判定した場合、システム制御部２６は、当該光ディスクＤＫ内に既にデータが記録されているか否かを判定する状態となり（ステップＳａ９）、この判定にて「ｎｏ」と判定するとコンテンツ属性情報の格納フィールド内にコンテンツ未記録を示す情報（例えば、「no title」）を格納した後（ステップＳａ１３）、処理をステップＳａ１４に移行させる。
【００４０】
これに対して、ステップＳａ９において、「ｙｅｓ」と判定した場合、システム制御部２６は、当該コンテンツに対応したタイトルやジャンルが光ディスクＤＫに記録されているか否かを判定する状態となり（ステップＳａ１０）、「ｙｅｓ」と判定するとコンテンツ属性情報の格納フィールド内に当該タイトル等を登録する一方（ステップＳａ１１）、「ｎｏ」と判定すると当該フィールド内にタイトル名等が未登録であることを示す情報を格納する（ステップＳａ１２）。
【００４１】
以上の処理を経て処理がステップＳａ１４に移行すると、システム制御部２６は、収納状態フラグＦ１を”０”、挿入状態フラグＦ２を”１”に設定し（ステップＳａ１４）、当該更新後のディスク管理テーブルＴＢＬをリモコン装置ＲＣに送信して（ステップＳａ１６）、処理を終了する。この結果、リモコン装置ＲＣにおいてステップＳａ１８が実行され、当該送信されてきたディスク管理テーブルＴＢＬが記録部３５に記録されることとなる。
【００４２】
以上の処理が行われることにより、新規の光ディスクＤＫの挿入時には当該光ディスクＤＫに対応した各種の情報がディスク管理テーブルＴＢＬに格納されて、当該光ディスクＤＫの登録が行われる一方、登録済みの光ディスクＤＫが挿入された場合には、その旨がディスク管理テーブルＴＢＬに反映されることとなる。そして、かかる更新後のディスク管理テーブルＴＢＬがリモコン装置ＲＣに送信されて記録部３５に記録される。この結果、当該更新後のディスク管理テーブルＴＢＬがレコーダＲとリモコン装置ＲＣとの間において共有化され、収納装置ＳＭの各スペースＳ-ｋ内に如何なる光ディスクＤＫが収納されているのかがリモコン装置ＲＣにおいて特定可能となるのである。
【００４３】
（Ａ-２）放送番組の録画時
次に、放送番組録画時におけるディスク管理テーブルＴＢＬの更新処理について図５を参照しつつ説明する。なお、この図５は、録画予約されている日時の到来、或いは、レコーダＲの操作部２５に対する放送番組の録画指示、をトリガとして実行される処理を示すシーケンスチャートである。
【００４４】
この処理において、レコーダＲのシステム制御部２６は、まず、記録対象となる放送番組のタイトルと、ジャンルを取得する（ステップＳｂ１）。なお、この際、システム制御部２６が如何なる方法にて放送コンテンツのタイトル等を取得するかは任意であり、例えば、ＥＰＧデータから記録日時やチャネルに基づいて記録対象となるコンテンツのタイトル等を抽出するようにしても良い。また、デジタル放送の場合、放送波にタイトル等を示すメタデータが含まれているため、このメタデータから記録対象コンテンツのタイトル等を取得するようにしても良い。
【００４５】
次いで、システム制御部２６は、レコーダ部２２を制御してコンテンツデータの記録を開始させた後（ステップＳｂ２）、コンテンツデータの記録終了を待機する状態となる（ステップＳｂ３「ｎｏ」）。この状態においてユーザが操作部２５に記録を終了する旨の入力操作を行い、或いは、録画予約されている録画終了日時が到来すると、ステップＳｂ３における判定が「ｙｅｓ」に変化し、システム制御部２６は、ディスク管理テーブルＴＢＬにおいて挿入状態フラグＦ２＝”１”となっているフィールドを特定する（ステップＳｂ４）。このようにしてフィールドが特定されると、システム制御部２６は、録画時間数を算出し（ステップＳｂ５）、当該時間数とステップＳｂ１において取得したタイトル名等をディスク管理テーブルＴＢＬに格納した後（ステップＳｂ６）、更新後のディスク管理テーブルＴＢＬをリモコン装置ＲＣに送信して（ステップＳｂ７）、処理を終了する。
【００４６】
一方、更新後のディスク管理テーブルＴＢＬが通信部３１により受信されると、リモコン装置ＲＣの制御部３４は、当該ディスク管理テーブルＴＢＬを記録部３５に記録した後（ステップＳｂ８）、処理を終了する。かかる一連の処理がコンテンツデータの記録時に実行されることにより、光ディスクＤＫに追記されたコンテンツデータのタイトル名等がディスク管理テーブルＴＢＬに追記され、リモコン装置ＲＣ内のディスク管理テーブルＴＢＬが更新される。この結果、リモコン装置ＲＣにおいてリスト表示を行う際に当該追記されたコンテンツデータのタイトル等を反映させることが可能となる。
【００４７】
（Ａ-３）ユーザが収納装置ＳＭに光ディスクＤＫを突然収納した場合
次に、レコーダＲからイジェクトされた光ディスクＤＫ以外の光ディスクＤＫをユーザが突然、収納装置ＳＭに収納した場合（この場合、未知の光ディスクＤＫが収納装置ＳＭに収納される可能性がある）の動作について図６を参照しつつ説明する。まず、光ディスクＤＫが収納装置ＳＭの空きスペース内に収納されると、収納装置ＳＭのディスク有無検出部１２において光ディスクＤＫの収納が検出され、ディスク有無検出部１２から制御部１４にディスクの挿入が検出された旨を示す検出信号が出力される。
【００４８】
一方、この検出信号が供給されると収納装置ＳＭの制御部１４は、光ディスクＤＫが新たに収納された空きスペースＳ-ｋのラック番号を特定した後（ステップＳｃ１）、レコーダＲと通信可能な状態となるのを待機する状態となる（ステップＳｃ２「ｎｏ」）。その後、ユーザがレコーダＲの電源を投入し、レコーダＲが通信可能な状態に移行すると、収納装置ＳＭの制御部１４は、ステップＳｃ２において「ｙｅｓ」と判定してレコーダＲに上述したディスク収納信号を送信して（ステップＳｃ３）、処理を終了する。この際、制御部１４は、光ディスクＤＫの収納が検出されたスペースＳ-ｋのラック番号を当該ディスク収納信号に付加して送信する。
【００４９】
一方、このディスク収納信号が外部機器Ｉ／Ｆ部２４により受信されると、レコーダＲのシステム制御部２６は、当該信号に含まれているラック番号を抽出し（ステップＳｃ４）、ディスク管理テーブルＴＢＬの当該ラック番号と対応するフィールド内にディスク識別情報が格納されているか否かを判定する状態となる（ステップＳｃ５）。この判定において、「ｙｅｓ」と判定した場合、当該スペースＳ-ｋ内に元々収納されていた光ディスクＤＫが元に戻されたものと想定されるため、システム制御部２６は、ディスク管理テーブルＴＢＬに格納された収納状態フラグＦ１を”１”に変更した後（ステップＳｃ６）、処理をステップＳｃ１４に移行させる。
【００５０】
これに対して、「ｎｏ」と判定した場合、新規な光ディスクＤＫが収納されたものと想定されるため、システム制御部２６は、表示処理を実行し（ステップＳｃ７）、例えば、「unknownディスクが収納装置ＳＭの○○番に収納されたことが検出されました。新しいディスクですか？」等の文字列と共に「ｙｅｓ」、「ｎｏ」なるボタンを表示させて、ユーザの入力操作を待機する状態に移行する（ステップＳｃ８「ｎｏ」）。この状態においてユーザがレコーダＲの操作部２５に何れかのボタンを選択する旨の入力操作を行うと（「ｙｅｓ」）、システム制御部２６は、当該選択されたボタンが「ｙｅｓ」であったか否かを判定する状態に移行する（ステップＳｃ９）。そして、この判定にて「ｙｅｓ」と判定した場合（すなわち、ユーザが新規の光ディスクＤＫを収納している場合）、システム制御部２６は、ディスク管理テーブルＴＢＬの当該ラック番号に対応するフィールドに対して「unknown disc」なる情報を格納して（ステップＳｃ１０）、処理をステップＳｃ１４に移行させる。
【００５１】
これに対して、「ｎｏ」と判定した場合（すなわち、当該光ディスクＤＫが登録済みのものである場合）、システム制御部２６はディスク管理テーブルＴＢＬに格納された情報に基づいて表示処理を実行し（ステップＳ１１）、収納済み光ディスクＤＫの一覧と共に「収納された光ディスクＤＫはどのディスクですか。」等の文字列を表示させた後、ユーザの入力を待機する状態となる（ステップＳｃ１２「ｎｏ」）。そして、この状態においてユーザが何れかの光ディスクＤＫを選択する旨の入力操作を行うと、システム制御部２６は、当該選択された光ディスクＤＫに対応するラック番号と、収納装置ＳＭから送信されたラック番号を入れ替えて（ステップＳｃ１３）、処理をステップＳｃ１４に移行させる。
【００５２】
以上の処理を経て、処理がステップＳｃ１４に移行すると、システム制御部２６は、ディスク管理テーブルＴＢＬを読み出してリモコン装置ＲＣに送信し、リモコン装置ＲＣの制御部３４は、当該送信されてきたディスク管理テーブルＴＢＬを記録部３５に記録する（ステップＳｃ１５）。
【００５３】
かかる一連の処理が実行されることにより、ユーザが未登録の光ディスクＤＫを突然、収納装置ＳＭに収納した場合であっても、当該光ディスクＤＫを「unknown disc」として扱い、当該光ディスクＤＫの収納をディスク管理テーブルＴＢＬに反映させた後、レコーダＲとリモコン装置ＲＣとの間において共有することが可能となる。また、ユーザが、間違ったスペースＳ-ｋ内に光ディスクＤＫを収納した場合でも当該スペースＳ-ｋ内に収納された光ディスクＤＫをユーザに選択させ、この選択結果をディスク管理テーブルＴＢＬに反映させることが可能となるため、光ディスクＤＫの管理の適正化を図ることが可能となる。
【００５４】
（Ａ-４）取出対象の選択を経ずに光ディスクＤＫが取り出された場合
次に、取出対象となる光ディスクＤＫをレコーダＲにおいて選択することなく、ユーザが収納装置ＳＭから光ディスクＤＫを取り出した際の動作について図７を参照しつつ説明する。まず、取出対象となる光ディスクＤＫを選択することなく収納装置ＳＭに収納されている光ディスクＤＫが取り出されると、収納装置ＳＭのディスク有無検出部１２において光ディスクＤＫの取り出しが検出され、ディスク有無検出部１２から制御部１４に光ディスクＤＫの取り出しが検出された旨を示す検出信号が出力される。
【００５５】
このようにして、検出信号が制御部１４に供給されると、制御部１４は、光ディスクＤＫの取り出されたスペースＳ-ｋのラック番号を特定した後（ステップＳｄ１）、レコーダＲと通信可能な状態に移行するのを待機する状態となり（ステップＳｄ２「ｎｏ」）、レコーダＲが通信可能な状態になった時点で（ステップＳｄ２「ｙｅｓ」）、ラック番号を少なくとも含むディスク取出信号をレコーダＲに送信して（ステップＳｄ３）、処理を終了する。
【００５６】
一方、このディスク取出信号が外部機器Ｉ／Ｆ部２４に受信されると、レコーダＲのシステム制御部２６は、当該信号に付加されているラック番号を抽出し（ステップＳｄ４）、当該ラック番号と対応付けられた収納状態フラグＦ１を”１”から”０”に変更する（ステップＳｄ５）。次いで、システム制御部２６は、ディスク管理テーブルＴＢＬをリモコン装置ＲＣに送信し（ステップＳｄ６）、この結果、リモコン装置ＲＣにおいて制御部３４が当該ディスク管理テーブルＴＢＬを記録部３５に記録させて（ステップＳｄ７）、処理を終了する。
【００５７】
この結果、ユーザが勝手に光ディスクＤＫを収納装置ＳＭから取り出したような場合にも、収納状態フラグＦ１を更新することが可能となり、どの光ディスクＤＫが収納中であるのかをリスト表示時に反映させることが可能となる。
【００５８】
（Ｂ）収納装置ＳＭに収納された光ディスクＤＫを選択して取り出す際の動作
次に、リモコン装置ＲＣを用いてリストを表示させ、ユーザにより選択された当該光ディスクＤＫを取り出す際の動作について図８を参照しつつ説明する。まず、取出対象となる光ディスクＤＫをリモコン装置ＲＣにおいて指定すべく、ユーザがリモコン装置ＲＣの操作部３２に所定の入力操作を行うと、リモコン装置ＲＣの制御部３４は、記録部３５に記録されたディスク管理テーブルＴＢＬに基づいて表示処理を実行し（ステップＳｅ１）、ユーザの入力操作を待機する状態に移行する（ステップＳｅ２「ｎｏ」）。
【００５９】
この際、表示部３３に表示される画像の一例を図９に示す。同図に示すように、この際、表示部３３には、（i）収納装置ＳＭにおけるラック番号毎に当該番号に対応したスペースＳ-ｋ内に収納された光ディスクＤＫのディスク種別と、（ii）当該光ディスクＤＫ内に記録されているコンテンツデータのタイトルやジャンル、記録時間数等のリストと共に、「収納装置ＳＭから取り出すディスクを選択してください」等の文字列が表示されることとなる。また、この際、制御部３４は、ディスク管理テーブルＴＢＬに格納されたフラグＦ１及びＦ２に基づいて、収納装置ＳＭから取出済みの光ディスクＤＫ及びレコーダＲに挿入中の光ディスクＤＫを特定し、各光ディスクＤＫの収納状態と挿入状態を示すアイコンを表示させる。かかる表示形態が実現されることにより、（ａ）各光ディスクＤＫに格納されたコンテンツの属性や（ｂ）各光ディスクＤＫの収納状態等がユーザに提示されることとなり、ユーザが収納装置ＳＭから取り出す光ディスクを選択する際の選択性が向上することとなる。
【００６０】
この状態において、ユーザが操作部３２に取り出そうとする光ディスクＤＫを選択する旨の入力を行うと（ステップＳｅ２「ｙｅｓ」）、制御部３４は、当該選択された光ディスクＤＫに対応する収納状態フラグＦ１を読み出した後、当該収納状態フラグＦ１に基づいてユーザの選択した光ディスクＤＫが取り出し済みであるか否かを判定する（ステップＳｅ３）。そして、この判定にて「ｙｅｓ」と判定すると、制御部３４は、取り出し済みである旨の文字列を表示して（ステップＳｅ１９）、処理を終了する。
【００６１】
これに対して、このステップＳｅ３において「ｎｏ」と判定すると、制御部３４は、当該選択された光ディスクＤＫに対応するラック番号をディスク管理テーブルＴＢＬから読み出し、当該ラック番号を少なくとも含む制御信号を収納装置ＳＭに送信して（ステップＳｅ４）、収納装置ＳＭからのデータ受信を待機する状態となる（ステップＳｅ５「ｎｏ」）。
【００６２】
一方、この制御信号が収納装置ＳＭの通信部１１に受信されると、制御部１４は、当該受信した制御信号からラック番号を抽出し（ステップＳｅ６）、この抽出されたラック番号に対応したＬＥＤ１０４-ｋを点灯させた後（ステップＳｅ７）、光ディスクＤＫの取り出しを待機する状態に移行する（ステップＳｅ８「ｎｏ」）。その後、ユーザが収納装置ＳＭから光ディスクＤＫを取り出すと、ディスク有無検出部１２から制御部１４にディスクの取り出しが検出された旨を示す検出信号が出力される。そして、この検出信号が入力されると、ステップＳｅ８における判定が「ｙｅｓ」に変化し、制御部１４は、光ディスクＤＫが取り出されたラック番号を特定し（ステップＳｅ９）、当該ラック番号を少なくとも含むディスク取出信号をリモコン装置ＲＣに送信した後（ステップＳｅ１０）、ＬＥＤ１０４-ｋを消灯させて（ステップＳｅ１１）、処理を終了する。
【００６３】
一方、収納装置ＳＭからディスク取出信号が送信されてくるとリモコン装置ＲＣの制御部３４においては、ステップＳｅ５における判定が「ｙｅｓ」となり、当該信号に付加されたラック番号が抽出される（ステップＳｅ１２）。そして、制御部３４は、当該ラック番号とユーザにより選択された光ディスクＤＫに対応したラック番号とが一致するか否かを判定する状態となり（ステップＳｅ１３）、一致している場合には（「ｙｅｓ」）、当該光ディスクＤＫに対応した収納状態フラグＦ１を”０”に変更して（ステップＳｅ１６）、処理をステップＳｅ１７に移行させる。
【００６４】
これに対して、両者が一致していない場合（「ｎｏ」）、制御部３４は、表示処理を実行して（ステップＳｅ１４）、例えば、「取り出された光ディスクが間違っていましたので、当該取り出された光ディスクに関する情報を更新しました。」等の文字列と共に、「確認」なるボタンを表示させ、ユーザの入力操作を待機する状態となる（ステップＳｅ１５「ｎｏ」）。そして、ユーザが操作部３２に「確認」ボタンを選択する旨の入力操作を行うと、制御部３４は、収納装置ＳＭから送信されたラック番号と対応付けて格納された収納状態フラグＦ１を”０”に変更した後（ステップＳｅ１６）、処理をステップＳｅ１７に移行させる。
【００６５】
このようにして、リモコン装置ＲＣの制御部３４における処理がステップＳｅ１７に移行すると、制御部３４はレコーダＲが通信可能な状態となるのを待機する状態となり（「ｎｏ」）、通信可能な状態となった時点で更新後のディスク管理テーブルＴＢＬをレコーダＲに送信して（ステップＳｅ１８）、処理を終了する。この結果、レコーダＲのシステム制御部２６によりディスク管理テーブルＴＢＬが記録されることとなる（ステップＳｅ２０）。
【００６６】
以上の処理が実行される結果、収納装置ＳＭから光ディスクＤＫを取り出す際に、リモコン装置ＲＣにおいてユーザが選択した光ディスクＤＫの収納スペースＳ-ｋに対応したＬＥＤ１０４-ｋが点灯され、当該光ディスクＤＫがどのスペースＳ-ｋ内に収納されているのかがユーザに報知されることとなる。また、ユーザが間違って、光ディスクＤＫを取り出した場合にも当該取り出された光ディスクＤＫに対応する収納状態フラグＦ１が更新され、ディスク管理テーブルＴＢＬに反映されることとなる。
【００６７】
（Ｃ）レコーダＲから光ディスクＤＫをイジェクトした際の動作
次に、レコーダＲに挿入されている光ディスクＤＫをイジェクトして収納装置ＳＭに収納する際の動作について図１０を参照しつつ説明する。まず、ユーザがレコーダＲの操作部２５に対して光ディスクＤＫをイジェクトする旨の入力操作を行うと、システム制御部２６はレコーダ部２２を制御して光ディスクＤＫをイジェクトさせ（ステップＳｆ１）、当該光ディスクＤＫに対応するラック番号をディスク管理テーブルＴＢＬから読み出した後（ステップＳｆ２）、当該ラック番号と対応付けて格納されている挿入状態フラグＦ２を”０”に変更する（ステップＳｆ３）。次いで、システム制御部２６は、当該ラック番号を少なくとも含む制御信号を収納装置ＳＭに送信し（ステップＳｆ４）、収納装置ＳＭからのデータ受信を待機する状態となる（ステップＳｆ５「ｎｏ」）。
【００６８】
一方、この制御信号が収納装置ＳＭの通信部１１に受信されると、制御部１４は、当該受信した制御信号からラック番号を抽出し（ステップＳｆ６）、当該ラック番号に対応したＬＥＤ１０４-ｋを点灯させた後（ステップＳｆ７）、光ディスクＤＫの収納を待機する状態に移行する（ステップＳｆ８「ｎｏ」）。その後、ユーザが収納装置ＳＭに光ディスクＤＫを収納するとディスク有無検出部１２から制御部１４にディスクの収納が検出された旨を示す検出信号が出力される。制御部１４は、この検出信号が入力されると、ステップＳｆ８において「ｙｅｓ」と判定し、光ディスクＤＫが収納されたスペースＳ-ｋのラック番号を検出し（ステップＳｆ９）、当該ラック番号を少なくとも含む制御信号をレコーダＲに送信した後（ステップＳｆ１０）、報知部１３に制御信号を出力し（ステップＳｆ１１）、ＬＥＤ１０４-ｋを消灯させて処理を終了する。
【００６９】
一方、収納装置ＳＭから制御信号が送信されてくるとレコーダＲのシステム制御部２６においては、ステップＳｆ５における判定が「ｙｅｓ」となり、当該制御信号に付加されたラック番号が抽出される（ステップＳｆ１２）。そして、システム制御部２６は、当該ラック番号とレコーダＲからイジェクトされた光ディスクＤＫに対応するラック番号とが一致するか否かを判定する状態となり（ステップＳｆ１３）、一致している場合には（「ｙｅｓ」）、当該光ディスクＤＫに対応した収納状態フラグＦ１を”１”に変更して（ステップＳｆ１４）、処理をステップＳｆ１６に移行させる。
【００７０】
これに対して、両者が一致していない場合（「ｎｏ」）、システム制御部２６は、収納装置ＳＭから送信されたラック番号に基づいてディスク管理テーブルＴＢＬを更新して（ステップＳｆ１５）、処理をステップＳｆ１６に移行させる。この際、システム制御部２６は、ディスク管理テーブルＴＢＬにおいて当該光ディスクＤＫに対応するラック番号と、収納装置ＳＭから送信されてきたラック番号を入れ替えると共に、当該光ディスクＤＫに対応する収納状態フラグＦ１を”１”に変更する。
【００７１】
このようにして、処理がステップＳｆ１６に移行するとシステム制御部２６は、ディスク管理テーブルＴＢＬをリモコン装置ＲＣに送信し、この結果、リモコン装置ＲＣの制御部３４が当該ディスク管理テーブルＴＢＬを記録部３５に記録させて（ステップＳｆ１７）、処理を終了する。
【００７２】
以上の処理が実行されることによって、レコーダＲからイジェクトされた光ディスクＤＫを収納すべきスペースＳ-ｋがユーザに報知されると共に、もし、ユーザが誤ったスペースＳ-ｋに光ディスクＤＫを収納した場合であっても当該収納後のスペースＳ-ｋに応じてディスク管理テーブルＴＢＬが更新されるため、確実にどの光ディスクＤＫがどのスペースＳ-ｋ内に格納されているのかを管理することが可能となる。
【００７３】
このようにして本実施形態にかかるシステムＳにおいては、リモコン装置ＲＣが、（Ａ）ラック番号と（Ｂ）ディスク識別情報、が対応付けて記述されたディスク管理テーブルＴＢＬをレコーダＲから取得し、このディスク管理テーブルＴＢＬに基づき光ディスクＤＫの一覧を表示すると共に、当該一覧に従ってユーザが選択した光ディスクＤＫに対応するラック番号をディスク管理テーブルＴＢＬから抽出して、当該ラック番号を用いて収納装置ＳＭを制御するようになっている。この構成により、レコーダＲにおいて自動的に管理更新されたディスク管理テーブルＴＢＬがレコーダＲとリモコン装置ＲＣの間において共有され、当該ディスク管理テーブルＴＢＬを用いた収納装置ＳＭの遠隔制御が実現される。このため、収納装置ＳＭに収納する光ディスクＤＫに関する各種の情報をユーザが入力せずとも各光ディスクＤＫを適切に管理することが可能となると共に、レコーダＲを介すことなく、直接リモコン装置ＲＣを用いて収納装置ＳＭを制御することが可能となり、もって、ユーザの保有する光ディスクを管理する際におけるユーザの利便性を飛躍的に向上させることが可能となる。
【００７４】
なお、本実施形態においては、レコーダＲにより収納装置ＳＭを制御した構成を採用したが、例えば、ＰＣのように光ディスクＤＫに対するデータの記録及び再生を行う機能を有するものに、本実施形態にかかるレコーダＲと同様の機能を保有させることも可能である。
【００７５】
また、本実施形態においては、可搬型記録媒体として光ディスクＤＫを管理する場合を例に説明を行ったが、例えば、フラッシュメモリのような可搬型の記録媒体を管理する場合にも同様の手法を採用することが可能である。
【００７６】
また更に、本実施形態においては、放送番組に対応したコンテンツデータを光ディスクＤＫに記録する場合を例に説明を行ったが、コンテンツデータの取得元に関しては任意であり、例えば、インターネット等の通信ネットワークを介してコンテンツデータを取得するようにしても良い。
【００７７】
更に、本実施形態においては、レコーダ部２２に光ディスクＤＫに対するデータの記録及び再生を行う機能のみを保有させた構成としたが、これと併せて、ハードディスクドライブを設け、このハードディスクに対するデータの記録及び再生を行うようにしても良い。この場合、ディスク管理テーブル記録部２７は、このハードディスクにより代替するようにしても良い。
【００７８】
更にまた、上記実施形態においては、ディスク管理テーブルＴＢＬにコンテンツ属性情報として、タイトルとジャンル、時間数を格納する構成を採用していたが、例えば、ユーザのコメントを示すテキストのような各種の情報を併せて格納する構成としても良い。
【００７９】
また、上記実施形態においては、光ディスクＤＫをジュエルケース内に収納した状態で、収納装置ＳＭに収納する構成を採用していたが、ジュエルケースに収納することなく、光ディスクＤＫ単体で収納装置ＳＭ内に収納する構成としても良い。
【００８０】
また更に、上記実施形態においては、収納装置ＳＭの外観構成例として、図２のようなものを示していたが、例えば、開口部１０１に扉を設けて開閉可能な構成としても良く、或いは、縦置き式の筐体構造としても良い。
【００８１】
更に、上記実施形態においては、収納装置ＳＭにＬＥＤ１０４-ｋを設け、レコーダＲから供給される制御信号に応じて、このＬＥＤ１０４-ｋを点灯させる構成としていた。しかし、例えば、当該制御信号に含まれるラック番号に基づいて音声にて、スペースＳ-ｋを報知するようにしても良い。また、例えば、ガイド溝１０２-ｋにストッパを設け、レコーダＲから供給される制御信号に応じて、このストッパを開閉する構成としても良い。この場合、ガイド溝１０２-ｋに光ディスクＤＫを収納装置ＳＭから押し出す方向に付勢するバネを設け、ストッパの開閉に併せて、光ディスクＤＫが一定量だけ飛び出すように構成することも可能である。
【００８２】
［１．３］実施形態の変形例
（１）変形例１
上記実施形態においては、ディスク管理テーブルＴＢＬ自体をレコーダＲからリモコン装置ＲＣに送信する構成としたが、ディスク管理テーブルＴＢＬの中から、一部の情報のみを抽出してリモコン装置ＲＣに送信するようにしても良い。かかる方法を採用した場合、リモコン装置ＲＣに保有させるデータのデータ量を削減することが可能となるため、リモコン装置ＲＣに搭載する記録部３５のメモリ容量を削減してリモコン装置ＲＣの製造コストを削減する事が可能となる。
【００８３】
（２）変形例２
上記実施形態においては、レコーダＲにおいて管理、更新したディスク管理テーブルＴＢＬをリモコン装置ＲＣとの間においてのみ共有する構成を採用していた。しかし、収納装置ＳＭにメモリを設け、ディスク管理テーブルＴＢＬを、リモコン装置ＲＣ、レコーダＲ、収納装置ＳＭの三者間において共有するようにしても良い。また、この場合、次のような方法を採用する事も可能である。すなわち、光ディスクＤＫのディスク識別情報やコンテンツ属性情報等を記録したＩＣタグ等のＩＣチップを光ディスクＤＫ或いはジュエルケースに貼付すると共に、収納装置ＳＭにＩＣチップのリーダを設ける。そして、収納装置ＳＭに収納された光ディスクＤＫに対応するＩＣチップから、ディスク識別情報等の情報を読み出し、収納装置ＳＭにおいてディスク管理テーブルＴＢＬの管理更新を行うようにするのである。この際、読み出したディスク識別情報が、ディスク管理テーブルＴＢＬに登録済みか否かを判定し、
（ａ）当該ディスク識別情報がディスク管理テーブルＴＢＬに登録済みのものである場合には、当該テーブルＴＢＬの更新を行わない一方、
（ｂ）当該ディスク識別情報がディスク管理テーブルＴＢＬに未登録のものである場合には、当該テーブルＴＢＬに対してＩＣタグから読み出したディスク識別情報やコンテンツ属性情報等を空きスペースＳ-ｋに対応するラック番号と対応付けて格納するようにすれば良い。
【００８４】
この方法を採用することにより、ユーザが未知の光ディスクＤＫを突然収納装置ＳＭに収納したような場合であっても、当該光ディスクＤＫを「unknown disc」とすることなく、ＩＣタグから読み取った情報に基づいてディスク管理テーブルＴＢＬを更新することが可能となる。なお、この場合、収納装置ＳＭにおいて更新したディスク管理テーブルＴＢＬは、レコーダＲ及びリモコン装置ＲＣの双方に保有させる事が必要となる。
【００８５】
（３）変形例３
上記実施形態においては、１台のリモコン装置ＲＣを用いて、１台のレコーダＲ及び１台の収納装置ＳＭを制御する構成を採用していた。しかし、１台のリモコン装置ＲＣを用いて、複数台のレコーダＲ（例えば、各々方式の異なる光ディスクＤＫの記録再生機能を有するレコーダＲ）及び収納装置ＳＭを制御する構成とする事も可能である。この場合、各レコーダＲにおいて各収納装置ＳＭを識別することが必要となるため、各収納装置ＳＭに対して各装置ＳＭを識別するための装置識別情報を付与し、ディスク管理テーブルＴＢＬ内にラック番号と対応付けて格納するようにすれば良い。
【００８６】
また、この方法を採用する場合、１台の収納装置ＳＭ内に各々異なるレコーダＲにおいて管理されている光ディスクＤＫが混在する事となる可能性がある。かかる混在時の対応方法としては、次のような方法が考えられる。
（ａ）全てのレコーダＲ及びリモコン装置ＲＣ間においてディスク管理テーブルＴＢＬに格納されるデータを共有する。かかる共有の方法としては、何れかのレコーダＲにおいてディスク管理テーブルＴＢＬが更新された際に、当該他のレコーダＲ及びリモコン装置ＲＣに対して、更新後のディスク管理テーブルＴＢＬを送信する構成としても良い。但し、この場合、一部のレコーダＲが電源ＯＦＦの状態にあることも想定されるため、他のレコーダＲから送信された信号に基づいて一時的に電源をＯＮにさせる構成を採用することが必要となる。この方法によれば、各レコーダＲ間において同一のディスク管理テーブルＴＢＬを用いた管理がなされるため、リモコン装置ＲＣを用いて各収納装置ＳＭ内の全ての光ディスクＤＫのリスト表示等を行う事が可能となり、もって、レコーダＲの電源をＯＮにすることなくユーザの所望する光ディスクＤＫを探し出すことが可能となる。
（ｂ）また、全レコーダＲ間においてディスク管理テーブルＴＢＬを共有しないようにしても良い。この場合、各レコーダＲにより管理されているディスク管理テーブルＴＢＬを全てリモコン装置ＲＣに保有させるようにすることにより、各レコーダＲにおいて管理されている光ディスクＤＫをリスト表示する事が可能となる。
【図面の簡単な説明】
【００８７】
【図１】実施形態にかかるディスク管理システムＳの構成を示すブロック図である。
【図２】同実施形態にかかる収納装置ＳＭの筐体１００の外観形状の一例を示す図である。
【図３】同実施形態にかかるディスク管理テーブルＴＢＬの記録内容の一例を示す図である。
【図４】同実施形態においてレコーダＲに光ディスクＤＫが挿入時にディスク管理システムＳにおいて実行される処理を示すシーケンスチャートである。
【図５】同実施形態において放送番組の録画時にディスク管理システムＳにおいて実行される処理を示すシーケンスチャートである。
【図６】同実施形態において、レコーダＲからイジェクトされた光ディスクＤＫ以外の光ディスクＤＫを収納装置ＳＭに収納した際にディスク管理システムＳにおいて実行される処理を示すシーケンスチャートである。
【図７】同実施形態において、取出対象となる光ディスクＤＫをレコーダＲにおいて選択することなく、ユーザが収納装置ＳＭから光ディスクＤＫを取り出した際にディスク管理システムＳにおいて実行される処理を示すシーケンスチャートである。
【図８】同実施形態において、光ディスクＤＫのリスト中から光ディスクＤＫを選択し、当該光ディスクＤＫを取り出す際にディスク管理システムＳにおいて実行される処理を示すシーケンスチャートである。
【図９】同実施形態において、モニタＭＮに表示される画像の一例を示す図である。
【図１０】同実施形態において、レコーダＲに挿入されている光ディスクＤＫをイジェクトして収納装置ＳＭに収納する際にディスク管理システムＳにおいて実行される処理を示すシーケンスチャートである。
【符号の説明】
【００８８】
ＲＣ・・・リモコン装置
Ｒ・・・レコーダ
ＳＭ・・・収納装置ＳＭ
ＭＮ・・・モニタ
【図１】
2007012196.tif 000003
【図２】
2007012196.tif 000004
【図３】
2007012196.tif 000005
【図４】
2007012196.tif 000006
【図５】
2007012196.tif 000007
【図６】
2007012196.tif 000008
【図７】
2007012196.tif 000009
【図８】
2007012196.tif 000010
【図９】
2007012196.tif 000011
【図１０】
2007012196.tif 000012